(57)【要約】【課題】  天井埋込型の空気調和装置において、吹出口から吹き出される気流によるドラフトを増加させることなく、ショートサーキットを低減する。【解決手段】  空気調和装置１は、４つのパネル辺部３０ａ〜３０ｄと４つのパネル角部３０ｅ〜３０ｈとが交互に連続して形成されたケーシング２の下部において、各パネル辺部３０ａ〜３０ｄに沿って４つの主吹出流路１２ａ〜１２ｄと、３つのパネル角部３０ｅ〜３０ｇに補助吹出流路１２ｅ〜１２ｇと、各パネル辺部３０ａ〜３０ｄに囲まれるように吸入口３１とが形成されている。補助吹出流路１２ｅ〜１２ｇは、補助吹出流路１２ｅ〜１２ｇに隣り合う主吹出流路１２ａ〜１２ｄとの離間距離が所定の寸法関係を満たすように形成されている。【選択図】      図７
2005156045.tif 000002
【特許請求の範囲】
【請求項１】
空調室の天井に埋め込まれて装着された空気調和装置であって、
複数の辺部（３０ａ〜３０ｄ）と複数の角部（３０ｅ〜３０ｈ）とが交互に連続して形成されたケーシング下部（３、７）と、前記各辺部に沿って配置された辺部吹出口（１２ａ〜１２ｄ）と、前記複数の角部の少なくとも１つに配置された角部吹出口（１２ｅ〜１２ｈ）と、前記各辺部に囲まれるように配置された吸入口（３１）とを有するケーシング（２）と、
前記ケーシング内に配置され、前記吸入口から前記ケーシング内に空気を吸入し、吸入された空気を前記辺部吹出口及び前記角部吹出口から前記空調室内に吹き出す送風機（４）とを備え、
前記角部吹出口と前記角部吹出口に隣り合う辺部吹出口とは、前記角部吹出口の前記辺部吹出口との最近接部である第１近接部（Ｐ）と前記辺部吹出口の前記角部吹出口との最近接部である第２近接部（Ｑ）との間の距離をＤとし、前記辺部吹出口の辺部の外周縁に沿う方向の長さをＬ1とし、前記辺部吹出口の辺部の外周縁に直交する方向の幅をＷ1とし、前記角部吹出口の開口面積をＳ2として、
Ｄ／（Ｌ1Ｗ1＋Ｓ2）0.5  ＞  ０．１５
の寸法関係を有している、
空気調和装置（１）。
【請求項２】
前記角部吹出口（１２ｅ〜１２ｈ）は、前記辺部吹出口（１２ａ〜１２ｄ）よりも開口面積が小さい、請求項１に記載の空気調和装置（１）。
【請求項３】
前記角部吹出口（１２ｅ〜１２ｈ）の両側に隣り合う２つの辺部吹出口（１２ａ〜１２ｄ）は、互いがほぼ直交するように配置されている、請求項１又は２に記載の空気調和装置（１）。
【請求項４】
前記角部吹出口（１２ｅ〜１２ｈ）の周縁部（７４、７５）は、前記角部吹出口から吹き出される気流が隣り合う２つの辺部吹出口（１２ａ〜１２ｄ）から吹き出される気流から遠ざかる方向に吹き出されるように形成されている、請求項１〜３のいずれかに記載の空気調和装置（１）。
【請求項５】
前記角部吹出口（１２ｅ〜１２ｈ）には、前記角部吹出口から吹き出される気流が隣り合う２つの辺部吹出口（１２ａ〜１２ｄ）から吹き出される気流から遠ざかる方向に吹き出すように案内する案内羽根（７６）が設けられている、請求項１〜３のいずれかに記載の空気調和装置（１）。
【発明の詳細な説明】
【技術分野】
【０００１】
本発明は、空気調和装置、特に、空調室の天井に埋め込まれるように装着された空気調和装置に関する。
【背景技術】
【０００２】
従来の空調室の天井に埋め込まれるように装着された、いわゆる天井埋込型の空気調和装置は、主として、複数の辺部と複数の角部とが交互に連続して形成されたケーシング下部と、各辺部に沿うように配置された吹出口と、各辺部に囲まれるように配置された吸入口とを有するケーシングと、ケーシング内に配置された送風機及び熱交換器とを備えている。
【０００３】
このような空気調和装置において運転を行うと、空調室内の空気は、吸入口の下方の空間から吸入口に向かって流れ、吸入口を通じてケーシング内に吸入される。そして、ケーシング内に吸入された空気は、熱交換器によって熱交換された後、吹出口を通じて空調室の天井付近から斜め下方に向かって空調室内に吹き出される。ここで、ケーシング内から吹出口を通じて吹き出された気流の大部分は空気調和装置の遠方まで到達するが、ケーシング内から吹出口を通じて吹き出された気流の一部は吹き出された直後に吸入口に吸入されてしまう。このような現象をショートサーキットといい、このショートサーキットが増加すると（すなわち、ケーシング内から吹出口を通じて吹き出された直後に吸入口に吸入される空気の流量が増加すると）、空気調和装置の性能低下を生じてしまうことになる。
【０００４】
これに対して、ケーシング内において熱交換器の両端部が配置される部分を除いて吹出口を複数個設けて、吸入口の下方の空間だけでなく、吹出口を設けなかった部分に吸入口の外周側から吸入口に向かって空気が流れる流路を確保することによって、ショートサーキットを低減するようにしている（例えば、特許文献１参照。）。
しかし、このような空気調和装置では、吹出口を設けなかった部分に吸入口の外周側から吸入口に向かって空気が流れる流路を確保することができるが、この部分以外の吹出口間の部分においてはショートサーキットが生じているため、さらに、このような部分におけるショートサーキットを低減することが望ましい。これに対して、吹出口間の離間距離を大きくして吹出口の数を減らしたり、吹出口の開口面積を小さくすることが考えられるが、そうすると、吹出口から吹き出される気流の流速が大きくなり、ドラフトが増加してしまう。
【特許文献１】特開平２００１−１１６２８１号公報
【発明の開示】
【発明が解決しようとする課題】
【０００５】
本発明の課題は、天井埋込型の空気調和装置において、吹出口から吹き出される気流によるドラフトを増加させることなく、ショートサーキットを低減することにある。
【課題を解決するための手段】
【０００６】
請求項１に記載の空気調和装置は、空調室の天井に埋め込まれて装着された空気調和装置であって、ケーシングと、送風機とを備えている。ケーシングは、複数の辺部と複数の角部とが交互に連続して形成されたケーシング下部と、各辺部に沿って配置された辺部吹出口と、複数の角部の少なくとも１つに配置された角部吹出口と、各辺部に囲まれるように配置された吸入口とを有している。送風機は、ケーシング内に配置され、吸入口からケーシング内に空気を吸入し、吸入された空気を辺部吹出口及び角部吹出口から空調室内に吹き出す。  角部吹出口と角部吹出口に隣り合う辺部吹出口とは、角部吹出口の辺部吹出口との最近接部である第１近接部と辺部吹出口の角部吹出口との最近接部である第２近接部との間の距離をＤとし、辺部吹出口の辺部の外周縁に沿う方向の長さをＬ1とし、辺部吹出口の辺部の外周縁に直交する方向の幅をＷ1とし、角部吹出口の開口面積をＳ2として、  Ｄ／（Ｌ1Ｗ1＋Ｓ2）0.5  ＞  ０．１５の寸法関係を有している。
【０００７】
本願発明者は、辺部吹出口が吸入口を囲むように配置された天井埋込型の空気調和装置において、辺部吹出口間の角部に角部吹出口を形成して、ドラフトの増加を防ぐとともに、角部吹出口と角部吹出口に隣り合う辺部吹出口との間の部分から角部吹出口及び辺部吹出口から空調室内に向かって吹き出された気流が吸入口にショートサーキットしないようにすることが可能な角部吹出口と角部吹出口に隣り合う辺部吹出口との離間間隔、すなわち、角部吹出口と角部吹出口に隣り合う辺部吹出口との間の部分に吸入口の外周側から吸入口に吸入される空気の流路を確保することが可能な離間間隔について研究を行った。
【０００８】
その結果、上記のような角部吹出口と角部吹出口に隣り合う辺部吹出口との離間距離についての寸法関係式を見いだした。この関係式は、辺部吹出口及び角部吹出口の開口サイズに応じてショートサーキットを低減できる最小の離間距離を決定することができるものである。
これにより、この空気調和装置では、角部吹出口に隣り合う辺部吹出口の開口サイズに応じた適切な離間距離を空けて角部吹出口を配置することができるようになるため、角部吹出口と角部吹出口に隣り合う辺部吹出口との間の部分にも、吸入口の外周側から吸入口に吸入される空気の流路を確保することができる。これにより、ドラフトを増加させることなく、ショートサーキットを低減することができる。
【０００９】
請求項２に記載の空気調和装置は、請求項１において、角部吹出口は、辺部吹出口よりも開口面積が小さい。
この空気調和装置では、辺部吹出口から吹き出される空気の流速を大幅に低下させてしまわないため、辺部吹出口から吹き出される気流をできる限り遠方まで到達させることができる。しかも、角部吹出口から吹き出される空気の流速が小さく、角部吹出口から吹き出される気流と辺部吹出口から吹き出される気流との間で到達距離に差ができるため、角部吹出口から吹き出される気流の下方にも吸入口に吸入される空気の流路を確保することができる。
【００１０】
請求項３に記載の空気調和装置は、請求項１又は２において、角部吹出口の両側に隣り合う２つの辺部吹出口は、互いがほぼ直交するように配置されている。
この空気調和装置では、平面視が略長方形状又は正方形状のケーシング下部を有する場合に、辺部吹出口及び角部吹出口とをこれらの開口サイズに応じて適切な離間距離を空けて配置することができるようになるため、互いに隣り合う辺部吹出口と角部吹出口との間にも吸入口に吸入される空気の流路を確保することができる。これにより、ドラフトを増加させることなく、ショートサーキットを低減することができる。
【００１１】
請求項４に記載の空気調和装置は、請求項１〜３のいずれかにおいて、角部吹出口の周縁部は、角部吹出口から吹き出される気流が隣り合う２つの辺部吹出口から吹き出される気流から遠ざかる方向に吹き出されるように形成されている。
この空気調和装置では、角部吹出口と角部吹出口に隣り合う辺部吹出口との間に吸入口に吸入される空気の流路をさらに確保しやすくなる。
【００１２】
請求項５に記載の空気調和装置は、請求項１〜３のいずれかにおいて、角部吹出口には、角部吹出口から吹き出される気流が隣り合う２つの辺部吹出口から吹き出される気流から遠ざかる方向に吹き出すように案内する案内羽根が設けられている。
この空気調和装置では、角部吹出口と角部吹出口に隣り合う辺部吹出口との間に吸入口に吸入される空気の流路をさらに確保しやすくなる。
【発明の効果】
【００１３】
以上の説明に述べたように、本発明によれば、以下の効果が得られる。
請求項１にかかる発明では、角部吹出口に隣り合う辺部吹出口の開口サイズに応じた適切な離間距離を空けて角部吹出口を配置することができるようになるため、角部吹出口と角部吹出口に隣り合う辺部吹出口との間の部分にも、吸入口の外周側から吸入口に吸入される空気の流路を確保することができるようになり、ドラフトを増加させることなく、ショートサーキットを低減することができる。
【００１４】
請求項２にかかる発明では、角部吹出口から吹き出される空気の流速が小さく、角部吹出口から吹き出される気流と辺部吹出口から吹き出される気流との間で到達距離に差ができるため、角部吹出口から吹き出される気流の下方にも吸入口に吸入される空気の流路を確保することができる。
請求項３にかかる発明では、平面視が略長方形状又は正方形状のケーシング下部を有する場合に、辺部吹出口及び角部吹出口とをこれらの開口サイズに応じて適切な離間距離を空けて配置することができるようになるため、互いに隣り合う辺部吹出口と角部吹出口との間にも吸入口に吸入される空気の流路を確保することができるため、ドラフトを増加させることなく、ショートサーキットを低減することができる。
【００１５】
請求項４にかかる発明では、角部吹出口と角部吹出口に隣り合う辺部吹出口との間に吸入口に吸入される空気の流路をさらに確保しやすくなる。
請求項５にかかる発明では、角部吹出口と角部吹出口に隣り合う辺部吹出口との間に吸入口に吸入される空気の流路をさらに確保しやすくなる。
【発明を実施するための最良の形態】
【００１６】
以下、本発明にかかる空気調和装置の実施形態について、図面に基づいて説明する。
（１）空気調和装置の基本構成
図１に本発明の一実施形態にかかる空気調和装置１の外観斜視図（天井は省略）を示す。空気調和装置１は、天井埋込型の空気調和装置であり、内部に各種構成機器を収納するケーシング２を備えている。ケーシング２は、ケーシング本体２ａと、ケーシング本体２ａの下側に配置された化粧パネル３とから構成されている。ケーシング本体２ａは、図２に示されるように、空調室の天井Ｕに形成された開口に挿入されて配置されている。そして、化粧パネル３は、天井Ｕの開口に嵌め込まれるように配置されている。ここで、図２は、空気調和装置１の概略側面断面図であって、図３のＡ−Ｏ−Ａ断面図である。
【００１７】
＜ケーシング本体＞
ケーシング本体２ａは、図２及び図３に示されるように、その平面視において、長辺と短辺とが交互に形成された略８角形状の下面が開口した箱状体であり、長辺と短辺とが交互に連続して形成された略８角形状の天板２１と、天板２１の周縁部から下方に延びる側板２２とを有している。ここで、図３は、空気調和装置１の概略平面断面図であって、図２のＢ−Ｂ断面図である。
【００１８】
側板２２は、天板２１の長辺に対応する側板２２ａ、２２ｂ、２２ｃ、２２ｄと、天板２１の短辺に対応する側板２２ｅ、２２ｆ、２２ｇ、２２ｈとから構成されている。ここで、例えば、側板２２ｄと側板２２ａとは、側板２２ｅを挟んで互いが略直交するように配置されている。他の側板２２ａ、２２ｂ間、側板２２ｂ、２２ｃ間、側板２２ｃ、２２ｄ間についても、側板２２ｄ、２２ａ間と同様に、互いが略直交するように配置されている。また、側板２２ｅは、隣り合う側板２２ｄ及び側板２２ａとのなす角度αが約１３５度になるように配置されている。側板２２ｆ、２２ｇについても、側板２２ｅと同様に、隣り合う側板とのなす角度が約１３５度になるように配置されている。尚、側板２２ｈは、熱交換器６（後述）と室外ユニット（図示せず）との間で冷媒をやりとりするための冷媒配管が貫通する部分を構成しており、他の側板２２ｅ、２２ｆ、２２ｇとは異なる形状となっている。また、各側板２２ｅ、２２ｆ、２２ｇ、２２ｈには、ケーシング本体２ａを天井裏空間に設置する際に使用される固定金具２３が設けられている。そして、ケーシング本体２ａは、平面視において、固定金具２３を含めた形状が略４角形になるように、天板２１の長辺及び短辺の長さが設定されている。
【００１９】
＜化粧パネル＞
化粧パネル３は、図２、図３及び図４に示されるように、平面視が略４角形状の板状体であり、主として、ケーシング本体２ａの下端部に固定されたパネル本体３ａから構成されている。ここで、図４は、空気調和装置１の化粧パネル３を空調室内から見た平面図である。
【００２０】
パネル本体３ａは、複数個（本実施形態では、４個）のパネル辺部３０ａ、３０ｂ、３０ｃ、３０ｄ（辺部）と、複数個（本実施形態では、４個）のパネル角部３０ｅ、３０ｆ、３０ｇ、３０ｈ（角部）とが交互に連続して形成されている。パネル辺部３０ａ、３０ｂ、３０ｃ、３０ｄは、それぞれ、ケーシング本体２ａの側板２２ａ、２２ｂ、２２ｃ、２２ｄに対応するように配置されている。パネル角部３０ｅ、３０ｆ、３０ｇ、３０ｈは、それぞれ、ケーシング本体２ａの側板２２ｅ、２２ｆ、２２ｇ、２２ｈに対応するように配置されている。
【００２１】
パネル本体３ａは、その略中央に空調室内の空気を吸入する吸入口３１と、パネル辺部３０ａ、３０ｂ、３０ｃ、３０ｄのそれぞれに対応するように形成されケーシング本体２ａ内から空調室内に空気を吹き出す複数個（本実施形態では、４個）の主吹出口３２ａ、３２ｂ、３２ｃ、３２ｄを有している。吸入口３１は、本実施形態において、略正方形状の開口である。４つの主吹出口３２ａ、３２ｂ、３２ｃ、３２ｄは、それぞれ、各パネル辺部３０ａ、３０ｂ、３０ｃ、３０ｄに沿うように細長く延びる略長方形状の開口である。
【００２２】
また、パネル本体３ａの下面には、吸入口３１を囲むように、かつ、４つの主吹出口３２ａ、３２ｂ、３２ｃ、３２ｄに囲まれるように配置された４角環状のパネル下面部３ｂが設けられている。パネル下面部３ｂは、主吹出口３２ａ、３２ｂ、３２ｃ、３２ｄの吸入口３１側の縁部を構成している。具体的には、パネル下面部３ｂの４辺に対応する外周縁部３９ａ、３９ｂ、３９ｃ、３９ｄは、化粧パネル３の平面視において、主吹出口３２ａ、３２ｂ、３２ｃ、３２ｄの吸入口３１側の部分に重なるように配置されている。
【００２３】
そして、吸入口３１には、吸入グリル３３と、吸込口３１から吸入された空気中の塵埃を除去するためのフィルタ３４とが設けられている。
また、主吹出口３２ａ、３２ｂ、３２ｃ、３２ｄには、長手方向の軸周りに揺動可能な水平フラップ３５ａ、３５ｂ、３５ｃ、３５ｄ（水平羽根）がそれぞれ設けられている。水平フラップ３５ａ、３５ｂ、３５ｃ、３５ｄは、それぞれが対応する主吹出口３２ａ、３２ｂ、３２ｃ、３２ｄの長手方向に細長く延びる略長方形状の羽根部材であり、その長手方向の両端部近傍に連結ピン３６がそれぞれ設けられている。そして、水平フラップ３５ａ、３５ｂ、３５ｃ、３５ｄは、それぞれ、連結ピン３６が化粧パネル３に回転可能に支持されることにより、主吹出口３２ａ、３２ｂ、３２ｃ、３２ｄの長手方向の軸周りに揺動可能になっている。パネル角部３０ｆを除く３つのパネル角部３０ｅ、３０ｇ、３０ｈにおいて、隣り合う連結ピン３６同士は、リンク機構としての連結軸３７により連結されている。パネル角部３０ｅを例にすると、水平フラップ３５ｄのパネル角部３０ｅ側の連結ピン３６と水平フラップ３５ａのパネル角部３０ｅ側の連結ピン３６とは、連結軸３７により連結されており、連結軸３７の回転によって回転するようになっている。また、パネル角部３０ｈに配置された連結軸３７には、モータ３８の駆動軸が連結されている。これにより、モータ３８を駆動させると、連結軸３７及び水平フラップ３５ａ、３５ｂ、３５ｃ、３５ｄに設けられた連結ピン３６を介して４つの水平フラップ３５ａ、３５ｂ、３５ｃ、３５ｄが同期して上下に揺動するようになっている。そして、この水平フラップ３５ａ、３５ｂ、３５ｃ、３５ｄの揺動により、主吹出口３２ａ、３２ｂ、３２ｃ、３２ｄから空調室内に吹き出される気流Ｘの風向を可変することができるようになっている。
【００２４】
例えば、図５に示されるように、主吹出口３２ｂから空調室内に吹き出される気流Ｘの風向は、水平フラップ３５ｂによって、天井Ｕの下面に対して角度β1から角度β2まで上下方向に可変されるようになっている。他の主吹出口３２ａ、３２ｃ、３２ｄから空調室内に吹き出される気流の風向についても、主吹出口３２ｂから空調室内に吹き出される気流Ｘの風向と同様に、天井Ｕの下面に対して角度β1から角度β2まで上下方向に可変される。ここで、図５は、図２の拡大図であって、主吹出口３２ｂに対応する主吹出流路１２ｂ（後述）付近を示す図である。
【００２５】
ケーシング本体２ａの内部には、主に、空調室内の空気を化粧パネル３の吸入口３１を通じてケーシング本体２ａ内に吸入して外周方向に吹き出す送風機４と、送風機４の外周を囲むように配置された熱交換器６とが配置されている。
送風機４は、本実施形態において、ターボファンであり、ケーシング本体２ａの天板２１の中央に設けられたファンモータ４１と、ファンモータ４１に連結されて回転駆動される羽根車４２とを有している。羽根車４２は、ファンモータ４１に連結される円板状のエンドプレート４３と、エンドプレート４３の下面の外周部に設けられた複数のブレード４４と、ブレード４４の下側に設けられた中央に開口を有する円板状のエンドリング４５とを有している。送風機４は、ブレード４４の回転によって、エンドリング４５の開口を通じて羽根車４２の内部に空気を吸入し、羽根車４２内に吸入された空気を羽根車４２の外周側に吹き出すことができる。
【００２６】
熱交換器６は、本実施形態において、送風機４の外周を囲むように曲げられて形成されたクロスフィンチューブ型の熱交換器パネルであり、屋外等に設置された室外ユニット（図示せず）に冷媒配管を介して接続されている。熱交換器６は、冷房運転時には内部を流れる冷媒の蒸発器として、暖房運転時には内部を流れる冷媒の凝縮器として機能できるようになっている。これにより、熱交換器６は、送風機４によって吸入口３１を通じてケーシング本体２ａ内に吸入された空気と熱交換を行って、冷房運転時には空気を冷却し、暖房運転時には空気を加熱することができる。
【００２７】
熱交換器６の下側には、熱交換器６において空気中の水分が凝縮されて生じるドレン水を受けるためのドレンパン７が配置されている。ドレンパン７は、ケーシング本体２ａの下部に装着されている。ドレンパン７は、化粧パネル３の吸入口３１に連通するように形成された吸入孔７１と、化粧パネル３の主吹出口３２ａ、３２ｂ、３２ｃ、３２ｄに連通するように形成された４つの主吹出孔７２ａ、７２ｂ、７２ｃ、７２ｄと、熱交換器６の下側に形成されドレン水を受けるドレン水受け溝７３とを有している。ここで、主吹出孔７２ａ、７２ｂ、７２ｃ、７２ｄは、それぞれが対応する主吹出口３２ａ、３２ｂ、３２ｃ、３２ｄの長手方向の長さが短くなっている。特に、主吹出孔７２ｃは、側板２２ｇ側に配置されドレン水受け溝７３に溜まったドレン水を排出するためのドレンポンプ８と、側板２２ｈ側の冷媒配管が貫通する部分とに挟まれているため、他の主吹出孔７２ａ、７２ｂ、７２ｄよりも長手方向の長さが短くなっている。
【００２８】
そして、吸入孔７１は、化粧パネル３の吸入口３１とともに、空調室内の空気をケーシング本体２ａ内に吸入する実質的な吸入口としての吸入流路を構成している。また、主吹出孔７２ａ、７２ｂ、７２ｃ、７２ｄは、それぞれが連通する化粧パネル３の主吹出口３２ａ、３２ｂ、３２ｃ、３２ｄとともに、熱交換器６において熱交換された空気を空調室内に吹き出す実質的な主吹出口としての主吹出流路１２ａ、１２ｂ、１２ｃ、１２ｄを構成している。つまり、本実施形態の空気調和装置１では、化粧パネル３とドレンパン７とによって、ケーシング２の下部が構成されており、このケーシング２の下部に実質的な吸入口及び主吹出口としての吸入流路及び主吹出流路１２ａ、１２ｂ、１２ｃ、１２ｄ（辺部吹出口）が形成されている。
【００２９】
また、ドレンパン７の吸入孔７１には、吸入口３１から吸入される空気を送風機４の羽根車４２へ案内するためのベルマウス５が配置されている。
（２）補助吹出口の構造及びその周辺の構成
上記のような基本構成を有する空気調和装置１は、図１〜図７に示されるように、化粧パネル３のパネル角部３０ｅ、３０ｆ、３０ｇ、３０ｈのそれぞれに対応するように形成され、ケーシング本体２ａ内から空調室内に空気を吹き出す複数個（本実施形態では、４個）の補助吹出口３２ｅ、３２ｆ、３２ｇ、３２ｈをさらに有している。ここで、図６は、図２の拡大図であって、補助吹出口３２ｅに対応する補助吹出流路１２ｅ（後述）付近を示す図である。図７は、図３の拡大図であって、補助吹出口３２ｅに対応する補助吹出流路１２ｅ付近を示す図である。
【００３０】
４つの補助吹出口３２ｅ、３２ｆ、３２ｇ、３２ｈは、それぞれ、化粧パネル３の平面視において、ケーシング本体２ａの側板２２ｅ、２２ｆ、２２ｇ、２２ｈに沿うように形成された略長方形状の開口である。
また、補助吹出口３２ｅ、３２ｆ、３２ｇ、３２ｈの吸入口３１側の部分には、化粧パネル３の平面視において、パネル下面部３ｂの各外周縁部３９ａ、３９ｂ、３９ｃ、３９ｄ間の外周角部３９ｅ、３９ｆ、３９ｇ、３９ｈが重なるように配置されている。このため、パネル下面部３ｂは、主吹出口３２ａ、３２ｂ、３２ｃ、３２ｄの吸入口３１側の縁部だけでなく、補助吹出口３２ｅ、３２ｆ、３２ｇ、３２ｈの吸入口３１側の縁部をも構成していることになる。そして、これらの外周角部３９ｅ、３９ｆ、３９ｇ、３９ｈは、その補助吹出口３２ｅ、３２ｆ、３２ｇ、３２ｈ側の面が補助吹出口３２ｅ、３２ｆ、３２ｇ、３２ｈから空調室内に吹き出される空気を斜め下方の一定方向に吹き出すように形成されている。
【００３１】
しかも、補助吹出口３２ｅ、３２ｆ、３２ｇ、３２ｈには、主吹出口３２ａ、３２ｂ、３２ｃ、３２ｄとは異なり、吹き出される気流の風向を可変するための水平フラップが設けられていない。そして、例えば、図６に示されるように、補助吹出口３２ｅから空調室内に吹き出される気流の風向は、隣り合う主吹出口３２ｄ、３２ａに設けられた水平フラップ３５ｄ、３５ａによる主吹出口３２ｄ、３２ａから吹き出される気流の上下方向の風向調節範囲（具体的には、天井Ｕの下面に対して角度β1から角度β2までの範囲）のほぼ中間の方向である角度γ（≒β1／２＋β2／２）をなす方向となっている。他の補助吹出口３２ｆ、３２ｇ、３２ｈから空調室内に吹き出される気流の風向についても、補助吹出口３２ｅから空調室内に吹き出される気流Ｙの風向と同様に、天井Ｕの下面に対して角度γをなす方向となっている。
【００３２】
また、ドレンパン７は、化粧パネル３の補助吹出口３２ｅ、３２ｆ、３２ｇに連通するように形成された３つの補助吹出孔７２ｅ、７２ｆ、７２ｇをさらに有している。ここで、本実施形態において、ドレンパン７の化粧パネル３の補助吹出口３２ｈに対応する位置には、補助吹出孔が形成されていない。このため、化粧パネル３の補助吹出口３２ｈは、本実施形態において、ケーシング本体２ａ内に吸入された空気を空調室内に向かって吹き出す機能を有していない。ここで、補助吹出孔７２ｅは、対応する補助吹出口３２ｅの長手方向の長さとほぼ同じであるが、補助吹出孔７２ｆは、側板２２ａ側にドレン水受け溝７３の一部が張り出しているため、対応する補助吹出口３２ｆの長手方向の長さよりも短くなっている。また補助吹出孔７２ｇは、側板２２ｃ側にドレンポンプ８が配置されているため、対応する補助吹出口３２ｇの長手方向の長さよりも短くなっている。
【００３３】
そして、３つの補助吹出孔７２ｅ、７２ｆ、７２ｇは、それぞれが連通する化粧パネル３の補助吹出口３２ｅ、３２ｆ、３２ｇとともに、熱交換器６において熱交換された空気を空調室内に吹き出す３つの補助吹出流路１２ｅ、１２ｆ、１２ｇを構成している。つまり、本実施形態の空気調和装置１では、化粧パネル３とドレンパン７とからなるケーシング２の下部に実質的な吸入口及び主吹出口としての吸入流路及び主吹出流路１２ａ、１２ｂ、１２ｃ、１２ｄとともに、実質的な補助吹出口としての補助吹出流路１２ｅ、１２ｆ、１２ｇ（角部吹出口）が形成されている。
【００３４】
このように、主吹出流路１２ａ、１２ｂ、１２ｃ、１２ｄ間に補助吹出流路１２ｅ、１２ｆ、１２ｇを設けると、吸入口３１がこれらの吹出流路に囲まれてしまうことになるため、空調室内からケーシング２内に吸入される空気の流路が確保しにくくなり、結果的に、主吹出流路１２ａ、１２ｂ、１２ｃ、１２ｄ及び補助吹出流路１２ｅ、１２ｆ、１２ｇから空調室内に向かって吹き出された気流Ｘ及び気流Ｙがショートサーキットして吸入口３１に吸入されることになる。
【００３５】
しかし、本実施形態の空気調和装置１においては、補助吹出流路１２ｅ、１２ｆ、１２ｇと、補助吹出流路１２ｅ、１２ｆ、１２ｇに隣り合う主吹出流路１２ａ、１２ｂ、１２ｃ、１２ｄとの間の離間距離を以下に説明する所定の関係式を満たすようにすることによって、補助吹出流路１２ｅ、１２ｆ、１２ｇと、補助吹出流路１２ｅ、１２ｆ、１２ｇに隣り合う主吹出流路１２ａ、１２ｂ、１２ｃ、１２ｄとの間に吸入口３１の外周側から吸入口３１に吸入される空気の流路を確保できるようになっている。
【００３６】
次に、補助吹出流路１２ｅ、１２ｆ、１２ｇと、補助吹出流路１２ｅ、１２ｆ、１２ｇに隣り合う主吹出流路１２ａ、１２ｂ、１２ｃ、１２ｄとの寸法関係について、補助吹出流路１２ｅと補助吹出流路１２ｅに隣り合う主吹出流路１２ａとの寸法関係を例にして説明する。ここで、補助吹出流路１２ｅと補助吹出流路１２ｅに隣り合う主吹出流路１２ｄとの寸法関係や、他の補助吹出流路１２ｆ、１２ｇと主吹出流路１２ａ、１２ｂ、１２ｃ、１２ｄとの寸法関係についても同様な関係を有しているため、説明を省略する。
【００３７】
補助吹出流路１２ｅの主吹出流路１２ａとの最近接部である点Ｐ（第１近接部）と主吹出流路１２ａの補助吹出流路１２ｅとの最近接部である辺Ｑ（第２近接部）との間の距離をＤとし、主吹出流路１２ａの辺部３０ａの外周縁（すなわち、側板２２ａ）に沿う方向の長さをＬ1とし、主吹出流路１２ａの側板２２ａに直交する方向の幅をＷ1とし、補助吹出流路１２ｅの開口面積Ｓ2とすると、補助吹出流路１２ｅと補助吹出流路１２ｅに隣り合う主吹出流路１２ａとは、Ｄ／（Ｌ1Ｗ1＋Ｓ2）0.5＞０．１５の寸法関係を有している。
【００３８】
ここで、補助吹出流路１２ｅの開口面積Ｓ2とは、ケーシング２の平面視において、補助吹出孔７２ｅから補助吹出口３２ｅまでの間で最も開口面積が小さい部分の開口面積のことであり、本実施形態においては、補助吹出孔７２ｅの開口面積に相当する。そして、本実施形態のように補助吹出孔７２ｅの形状が略４角形である場合には、開口面積Ｓ2は、補助吹出流路１２ｅの点Ｐと補助吹出流路１２ｅの主吹出流路１２ｄとの最近接部である点Ｐ’との間の長さをＬ2と、補助吹出流路１２ｅの点Ｐ及び点Ｐ’同士を結ぶ線に直交する方向の幅Ｗ2とを積算した値（≒Ｌ2Ｗ2）に相当することになる。
【００３９】
しかも、主吹出流路１２ａの側板２２ａに沿う方向の長さをＬ1と主吹出流路１２ａの側板２２ａに直交する方向の幅をＷ1とを積算した値（＝Ｌ1Ｗ1）が主吹出流路１２ａの開口面積Ｓ1に相当するため、上記の寸法関係は、主吹出流路１２ａ、１２ｂ、１２ｃ、１２ｄ及び補助吹出流路１２ｅ、１２ｆ、１２ｇの開口サイズに応じて、補助吹出流路１２ｅ、１２ｆ、１２ｇと、補助吹出流路１２ｅ、１２ｆ、１２ｇに隣り合う主吹出流路１２ａ、１２ｂ、１２ｃ、１２ｄとの間に吸入口３１の外周側から吸入口３１に吸入される空気の流路を確保することが可能な最小の離間距離を規定するものである。
【００４０】
また、補助吹出流路１２ｅ、１２ｆ、１２ｇの開口面積Ｓ2は、主吹出流路１２ａ、１２ｂ、１２ｃ、１２ｄの開口面積Ｓ1よりも小さくなっている。
さらに、補助吹出流路１２ｅ、１２ｆ、１２ｇは、その周縁部が補助吹出流路１２ｅ、１２ｆ、１２ｇから吹き出される気流Ｙが隣り合う２つの主吹出流路１２ａ、１２ｂ、１２ｃ、１２ｄから吹き出される気流Ｘから遠ざかる方向に吹き出されるように形成されている。例えば、補助吹出流路１２ｅを例にすると、本実施形態において、補助吹出流路１２ｅは、その主吹出流路１２ａ、１２ｄ側の端面７４、７５が隣り合う主吹出流路１２ａ、１２ｄの辺Ｑ、Ｑ’とのなす角度θ、θ’が正値（例えば、４５度等）になるように形成されている。
【００４１】
（３）空気調和装置の動作
次に、空気調和装置１の動作について、図２、図４、図５、図６及び図８を用いて説明する。ここで、図８は、図４の拡大図であって、補助吹出口３２ｅ付近を示す図（パネル下面部３ｂの一部を破断して図示）である。
運転を開始すると、ファンモータ４１が駆動されて、送風機４の羽根車４２が回転する。また、ファンモータ４１の駆動とともに、熱交換器６内には、室外ユニット（図示せず）から冷媒が供給される。ここで、熱交換器６は、冷房運転時には蒸発器として、暖房運転時には凝縮器として作用する。そして、羽根車４２の回転に伴って、空調室内の空気は、化粧パネル３の吸入口３１からフィルタ３４及びベルマウス５を通じて送風機４の下側からケーシング本体２ａ内に吸入される。この吸入された空気は、羽根車４２によって外周側に吹き出されて熱交換器６に達し、熱交換器６において冷却又は加熱された後、主吹出孔７２ａ、７２ｂ、７２ｃ、７２ｄ及び主吹出口３２ａ、３２ｂ、３２ｃ、３２ｄ（すなわち、主吹出流路１２ａ、１２ｂ、１２ｃ、１２ｄ）と、補助吹出孔７２ｅ、７２ｆ、７２ｇ及び補助吹出口３２ｅ、３２ｆ、３２ｇ（すなわち、補助吹出流路１２ｅ、１２ｆ、１２ｇ）とを通じて空調室内に向かって吹き出される。このようにして、空調室内の冷房又は暖房が行われる。
【００４２】
ここで、補助吹出流路１２ｅ、１２ｆ、１２ｇは、それぞれ、主吹出流路１２ａ、１２ｂ、１２ｃ、１２ｄ及び補助吹出流路１２ｅ、１２ｆ、１２ｇの開口サイズに応じて、上記に説明した寸法関係式を満たす離間距離を空けてパネル角部３０ｅ、３０ｆ、３０ｇに配置されている。これにより、補助吹出流路１２ｅ、１２ｆ、１２ｇと、補助吹出流路１２ｅ、１２ｆ、１２ｇに隣り合う主吹出流路１２ａ、１２ｂ、１２ｃ、１２ｄとの間に吸入口３１に吸入される空気の流路を確保することができる。
【００４３】
補助吹出流路１２ｅを例にすると、補助吹出流路１２ｅと、隣り合う主吹出流路１２ａとの離間距離を距離Ｄにすることによって、吸入口３１に吸入される空気の流路を確保することができるため、化粧パネル３の外周方向から気流Ｚを吸入口３１に導入することができるようになり、ショートサーキットを低減できるようになっている。尚、補助吹出流路１２ｅと補助吹出流路１２ｅに隣り合う主吹出流路１２ｄとの間の離間距離や、他の補助吹出流路１２ｆ、１２ｇと他の補助吹出流路１２ｆ、１２ｇに隣り合う主吹出流路１２ａ、１２ｂ、１２ｃ、１２ｄとの離間距離についても同様に、吸入口３１に吸入される空気の流路を確保することができるため、化粧パネル３の外周方向から空気を吸入口３１に導入することができるようになり、ショートサーキットを低減できるようになっている。
【００４４】
また、主吹出口３２ａ、３２ｂ、３２ｃ、３２ｄから空調室内に吹き出される気流Ｘの風向は、水平フラップ３５ａ、３５ｂ、３５ｃ、３５ｄによって風向調節範囲（具体的には、天井Ｕの下面に対して角度β1から角度β2までの範囲）内に調節されている。一方、補助吹出口３２ｅ、３２ｆ、３２ｇから空調室内に吹き出される気流Ｙは、天井Ｕの下面に対して水平フラップ３５ａ、３５ｂ、３５ｃ、３５ｄの風向調節範囲のほぼ中間の方向である角度γの方向に吹き出されるようになっている。
【００４５】
しかし、例えば、補助吹出口３２ｅを例にすると、補助吹出口３２ｅは、主吹出口３２ｄと主吹出口３２ａとに隣り合うパネル角部３０ｅに配置されているため、主吹出口３２ｄ及び主吹出口３２ａから空調室内に吹き出される気流Ｘの影響を受けやすくなっている。具体的には、補助吹出口３２ｅから吹き出される気流Ｙは、隣り合う主吹出口３２ｄ及び主吹出口３２ａから吹き出される気流Ｘに引きずられて方向が変化する傾向にある。このため、補助吹出口３２ｅから吹き出される気流Ｙは、主吹出口３２ｄ、３２ａに設けられた水平フラップ３５ｄ、３５ａを揺動させることによって、この気流Ｘの風向と同じ方向に向くように変化させられるようになる。
【００４６】
これにより、主吹出口３２ｄ、３２ａから吹き出される気流Ｘの風向を補助吹出口３２ｅから吹き出される気流の風向Ｙ（すなわち、天井Ｕの下面に対して角度γの方向）よりも小さい角度に調節すると、補助吹出口３２ｅから吹き出される気流Ｙの風向は、それに引きずられて、角度γよりも小さくなる。逆に、主吹出口３２ｄ、３２ａから吹き出される気流Ｘの風向を補助吹出口３２ｅから吹き出される気流Ｙの風向（すなわち、天井Ｕの下面に対して角度γの方向）よりも大きい角度に調節すると、補助吹出口３２ｅから吹き出される気流Ｙの風向は、それに引きずられて、角度γよりも大きくなる。
【００４７】
このように、補助吹出口３２ｅから吹き出される空気の上下方向の風向を可変するための水平フラップ等の機構を設けずに一定方向に吹き出すようにしていても、補助吹出口３２ｅから吹き出される気流Ｙの風向を可変することができる。尚、他の補助吹出口３２ｆ、３２ｇについても、補助吹出口３２ｅと同様に、水平フラップ等の機構を設けなくても、隣り合う主吹出口から吹き出される気流Ｘの風向の変化に応じて、気流Ｙの吹き出し方向を可変することができる。
【００４８】
ところで、上記のように、補助吹出口３２ｅ、３２ｆ、３２ｇから空調室内に吹き出される気流Ｙが主吹出口３２ａ、３２ｂ、３２ｃ、３２ｄから空調室内に吹き出される気流Ｘに引きずられる現象が生じると、結果的に、吸入口３１が気流Ｘ及び気流Ｙによって取り囲まれてショートサーキットが生じやすい状況となるが、このような状況においても、上記に説明した寸法関係式を満たす離間距離を空けて補助吹出口３２ｅ、３２ｆ、３２ｇ及び主吹出口３２ａ、３２ｂ、３２ｃ、３２ｄを配置することによって、補助吹出口３２ｅ、３２ｆ、３２ｇと主吹出口３２ａ、３２ｂ、３２ｃ、３２ｄとの間に、吸入口３１に吸入される空気の流路を確保して、ショートサーキットを低減できるようになっている。
【００４９】
また、補助吹出流路１２ｅ、１２ｆ、１２ｇの開口面積Ｓ2は、主吹出流路１２ａ、１２ｂ、１２ｃ、１２ｄの開口面積Ｓ1よりも小さくなっており、主吹出流路１２ａ、１２ｂ、１２ｃ、１２ｄから吹き出される空気の流速を大幅に低下させてしまわないため、主吹出流路１２ａ、１２ｂ、１２ｃ、１２ｄから吹き出される気流Ｘをできる限り遠方まで到達させることができる。しかも、補助吹出流路１２ｅ、１２ｆ、１２ｇから吹き出される空気の流速が小さく、補助吹出流路１２ｅ、１２ｆ、１２ｇから吹き出される気流Ｙと主吹出流路１２ａ、１２ｂ、１２ｃ、１２ｄから吹き出される気流Ｘとの間で到達距離に差ができるため、補助吹出流路１２ｅ、１２ｆ、１２ｇから吹き出される気流Ｙの下方に吸入口３１に吸入される空気の流路を確保することができるようになっている。
【００５０】
さらに、補助吹出流路１２ｅ、１２ｆ、１２ｇは、その周縁部（具体的には、端面７４、７５）が補助吹出流路１２ｅ、１２ｆ、１２ｇから吹き出される気流Ｙが隣り合う２つの主吹出流路１２ａ、１２ｂ、１２ｃ、１２ｄから吹き出される気流Ｘから遠ざかる方向に吹き出されるように形成されているため、吸入口３１に吸入される空気の流路をさらに確保しやすくなっている。
【００５１】
（４）他の実施形態
以上、本発明の実施形態について図面に基づいて説明したが、具体的な構成は、これらの実施形態に限られるものではなく、発明の要旨を逸脱しない範囲で変更可能である。
（Ａ）
前記実施形態では、パネル角部３０ｅ、３０ｆ、３０ｇ、３０ｈの全てに対応するように補助吹出口３２ｅ、３２ｆ、３２ｇ、３２ｈが形成されているにもかかわらず、ドレンパン７に補助吹出口３２ｈに対応する補助吹出孔が設けられていないため、４つの補助吹出口３２ｅ、３２ｆ、３２ｇ、３２ｈのうち、３つの補助吹出口３２ｅ、３２ｆ、３２ｇのみが実質的な補助吹出口として機能していたが、図９（他の実施形態にかかる空気調和装置の概略平面断面図であって、図３に相当する図）に示されるように、ドレンパン７の補助吹出口３２ｈに対応する位置にも補助吹出孔７２ｈを形成して補助吹出流路１２ｈを設けることによって、ケーシング本体２ａ内の空気を補助吹出口３２ｈから空調室内に吹き出すようにしてもよい。これにより、化粧パネル３の４つのパネル辺部３０ａ、３０ｂ、３０ｃ、３０ｄ及び４つのパネル角部３０ｅ、３０ｆ、３０ｇ、３０ｈの全てから空調室内に空気を吹き出すことができるため、空調室内に吹き出される気流分布をさらに良好にすることができる。
【００５２】
（Ｂ）
前記実施形態では、補助吹出流路１２ｅ、１２ｆ、１２ｇの周縁部（具体的には、端面７４、７５）を補助吹出流路１２ｅ、１２ｆ、１２ｇから吹き出される気流Ｙが隣り合う２つの主吹出流路１２ａ、１２ｂ、１２ｃ、１２ｄから吹き出される気流Ｘから遠ざかる方向に吹き出されるように形成することによって、吸入口３１に吸入される空気の流路を確保しやすくしているが、図１０（他の実施形態にかかる補助吹出口３２ｅに対応する補助吹出流路１２ｅ付近を示す図であって、図７に相当する図）に示されるように、補助吹出流路１２ｅを例にすると、補助吹出流路１２ｅ内に補助吹出流路１２ｅから吹き出される気流Ｙが隣り合う２つの主吹出流路１２ａ、１２ｄから吹き出される気流Ｘから遠ざかる方向に吹き出されるように案内する複数（本実施形態では、４枚）の案内羽根７６を設けてもよい。
【００５３】
（Ｃ）
前記実施形態では、４つのパネル角部３０ｅ、３０ｆ、３０ｇ、３０ｈの３つ又は４つに対応するように補助吹出流路１２ｅ、１２ｆ、１２ｇ、１２ｈを形成しているが、４つのパネル角部３０ｅ、３０ｆ、３０ｇ、３０ｈのうちの１つ又は２つだけに補助吹出流路を設けていてもよい。この場合においても、補助吹出流路を上記に説明した寸法関係式を満たす離間距離を空けてパネル角部に配置することで、隣り合う主吹出流路との間に吸入口３１に吸入される空気の流路を確保することができるため、ショートサーキットを低減することができる。
【００５４】
（Ｄ）
前記実施形態では、本発明を略４角形状の化粧パネル３を有する天井埋込型の空気調和装置１に適用したが、５角形以上の多角形状の化粧パネルを有する天井埋込型の空気調和装置１に適用してもよい。
【産業上の利用可能性】
【００５５】
本発明を利用すれば、吹出口が吸入口を囲むように配置された天井埋込型の空気調和装置において、吹出口から吹き出される気流によるドラフトを増加させることなく、ショートサーキットを低減することができる。
【図面の簡単な説明】
【００５６】
【図１】本発明の一実施形態にかかる空気調和装置の外観斜視図である。
【図２】空気調和装置の概略側面断面図であって、図３のＡ−Ｏ−Ａ断面図である。
【図３】空気調和装置の概略平面断面図であって、図２のＢ−Ｂ断面図である。
【図４】空気調和装置の化粧パネルを空調室内から見た平面図である。
【図５】図２の拡大図であって、主吹出口に対応する主吹出流路付近を示す図である。
【図６】図２の拡大図であって、補助吹出口に対応する補助吹出流路付近を示す図である。
【図７】図３の拡大図であって、補助吹出口に対応する補助吹出流路付近を示す図である。
【図８】図４の拡大図であって、補助吹出口付近を示す図（パネル下面部の一部を破断して図示）である。
【図９】他の実施形態にかかる空気調和装置の概略平面断面図であって、図３に相当する図である。
【図１０】他の実施形態にかかる補助吹出口に対応する補助吹出流路付近を示す図であって、図７に相当する図である。
【符号の説明】
【００５７】
１  空気調和装置
２  ケーシング
３  化粧パネル（ケーシング下部）
４  送風機
７  ドレンパン（ケーシング下部）
１２ａ〜１２ｄ  主吹出流路（辺部吹出口）
１２ｅ〜１２ｈ  補助吹出流路（角部吹出口）
３０ａ〜３０ｄ  パネル辺部（辺部）
３０ｅ〜３０ｈ  パネル角部（角部）
３１  吸入口
７４、７５  端面（周縁部）
７６  案内羽根
Ｄ  距離
Ｌ1  長さ
Ｐ  点（第１近接部）
Ｑ  辺（第２近接部）
Ｓ2  開口面積
Ｗ1  幅
【図１】
2005156045.tif 000003
【図２】
2005156045.tif 000004
【図３】
2005156045.tif 000005
【図４】
2005156045.tif 000006
【図５】
2005156045.tif 000007
【図６】
2005156045.tif 000008
【図７】
2005156045.tif 000009
【図８】
2005156045.tif 000010
【図９】
2005156045.tif 000011
【図１０】
2005156045.tif 000012